(57)【要約】【課題】バッグ本体に対するクラブケースの出し入れの作業が容易であり、作業時にクラブケースが傾いてクラブが脱出するおそれがなく、さらに、形状や大きさに差異がある種々のクラブケースにも柔軟に対応でき、スタンド付きのものであっても、出し入れになんら支障をきたさないキャディバッグを提供する。【解決手段】  キャディバッグ１は、バッグ本体１０と、複数本のクラブを収容することが可能なクラブケース３０と、バッグ本体１０の開放された上面に被せられるキャップ状のカバー４０とを含む。バッグ本体１０は、複数本のクラブを収容することが可能なクラブ収容部１１と、クラブ収容部１１に隣接して設けられクラブケース３０を収容することが可能なクラブケース収容部１２とを備え、クラブケース収容部１２は、前面が開放され、前面の開放部分１３はバッグ本体１０に開閉自在に取り付けられたケースカバー１４により塞がれている。【選択図】図１
2019013369.tif 000002
【特許請求の範囲】
【請求項１】
バッグ本体と、複数本のクラブを収容することが可能なクラブケースと、前記バッグ本体の開放された上面に被せられるキャップ状のカバーとを含み、
前記バッグ本体は、複数本のクラブを収容することが可能なクラブ収容部と、前記クラブ収容部に隣接して設けられ前記クラブケースを収容することが可能なクラブケース収容部とを備え、
前記クラブケース収容部は、前面が開放され、前記前面の開放部分は前記バッグ本体に開閉自在に取り付けられたケースカバーにより塞がれているキャディバッグ。
【請求項２】
バッグ本体と、前記バッグ本体の開放された上面に被せられるキャップ状のカバーとを備えるキャディバッグであって、
前記バッグ本体は、複数本のクラブを収容することが可能なクラブ収容部と、前記クラブ収容部に隣接して設けられ複数本のクラブを収容することが可能なクラブケースを収容することが可能なクラブケース収容部とを備え、
前記クラブケース収容部は、前面が開放され、前記前面の開放部分は前記バッグ本体に開閉自在に取り付けられたケースカバーにより塞がれているキャディバッグ。
【請求項３】
前記ケースカバーは、一方の側端縁が前記バック本体の外壁に一連に設けられ、他方の側端縁は前記バッグ本体の外壁上に着脱可能に止め固定される請求項１または２に記載のキャディバッグ。
【請求項４】
前記クラブケース収容部は、前記前面の開放部分に前記クラブケースを固定するためのベルトを備えている請求項１または２に記載のキャディバッグ。
【発明の詳細な説明】
【技術分野】
【０００１】
本発明は、他数本のゴルフクラブを収納して運搬するためのキャディバッグに関する。
【背景技術】
【０００２】
近年、ゴルフ場では、キャディの不足からセルフ方式（ノーキャディ方式）のラウンドプレーが増加している。これに伴い、プレーヤーがキャディバッグを積んだカートから離れた位置でショットする場合や、グリーン回りでアプローチショットする場合、複数本のクラブの中から最適なクラブを選択するために、あらかじめ用意した小型のバッグに、使用する可能性のある複数本のクラブを収容して持ち運ぶことが行われている。この小型のバッグは、スタンド付きのものが一般的であり、クラブケース、セルフクラブケース、セルフスタンドバッグ、ハーフスタンドバッグなどと呼ばれている。以下、上記の小型のバッグを「クラブケース」と呼ぶ。
【０００３】
クラブケースを使用するプレーヤーは、キャディバッグとは別にクラブケースをゴルフ場に持参する必要がある。しかし、自家用車以外の交通手段を利用してゴルフ場へ行くプレーヤーの場合、クラブケースの分だけ手荷物が増え、移動時の負荷が著しく増す。自家用車でゴルフ場へ行くプレーヤーの場合、トランクにキャディバッグに加えてクラブケースを収容するスペースを確保する必要がある。特に、複数のプレーヤーが１台の車に同乗するような場合、各プレーヤーがクラブケースを持参すると、全員のクラブケースをトランクに収容するのが困難となる場合もある。
【０００４】
上記の問題に鑑み、先般、クラブケースを内部に収容することが可能なキャディバッグが提案された（例えば特許文献１参照）。このキャディバッグによると、荷物の数量や嵩が増えないので、上記した問題は全て解消される。このキャディバッグでは、複数本のクラブを収容する区画に隣接して、クラブケースを収容するための区画が設けられている。プレーヤーは、プレー中、必要に応じて、キャディバッグに対してクラブケースを上面の開放部より抜き差しする。プレーヤーは、クラブケースに所望のクラブを複数本入れ、その複数本のクラブをクラブケースごと取り出して持ち運ぶ。
【先行技術文献】
【特許文献】
【０００５】
【特許文献１】特開２０１５−１９７７４号公報
【発明の概要】
【発明が解決しようとする課題】
【０００６】
しかし、上記のキャディバッグでは、クラブケースを上面の開放部より抜き差しするため、その作業に労力を要し、特に抜き差しに際し、クラブケースを傾けると、クラブケース内のクラブがクラブケースより脱出するおそれがある。
また、典型的なクラブケースはスタンド付きであるため、クラブケースの抜き差しに際して、スタンドがキャディバッグの上面の開放部に引っ掛かって作業に支障をきたすおそれがある。また、クラブケースを収容するための区画は、形態および容量が定まっているため、形状や大きさに差異がある種々のクラブケースに対応できず、また、クラブケースの製作に際して、デザインに制限を受けるという問題がある。
また、スタンドはスイッチ操作により窄んだ状態から開いた状態となるが、クラブケースがキャディバッグに収容された状態のときに前記スイッチが不用意に押されると、キャディバッグの内部でスタンドが拡がり、クラブケースがキャディバッグ内で安定して保持されないだけでなく、クラブケースの抜き出しに支障が生じるおそれもある。
【０００７】
本発明は、上記した課題に着目してなされたものであり、バッグ本体に対するクラブケースの出し入れの作業が容易であり、作業時にクラブケースが傾いてクラブが脱出するおそれがなく、さらに、形状や大きさに差異がある種々のクラブケースにも柔軟に対応でき、スタンド付きのものであっても、出し入れになんら支障をきたさないキャディバッグを提供することを目的とする。
【課題を解決するための手段】
【０００８】
この発明によるキャディバックは、バッグ本体と、複数本のクラブを収容することが可能なクラブケースと、前記バッグ本体の開放された上面に被せられるキャップ状のカバーとを含んでいる。前記バッグ本体は、複数本のクラブを収容することが可能なクラブ収容部と、前記クラブ収容部に隣接して設けられ前記クラブケースを収容することが可能なクラブケース収容部とを備えている。前記クラブケース収容部は、前面が開放され、前記前面の開放部分は前記バッグ本体に開閉自在に取り付けられたケースカバーにより塞がれている。
【０００９】
上記した構成のキャディバッグを運搬するときは、バッグ本体のクラブ収容部には多数本のクラブを、クラブケース収容部にクラブケースを、それぞれ収容し、クラブケース収容部の前面はケースカバーにより塞ぎ、バッグ本体の上面の開放部にはカバーが被せられる。この場合、クラブケースには複数本のクラブをあらかじめ収納しておいてもよい。この状態では、クラブケースはキャディバッグの内部に納まっているので、キャディバッグとは別にクラブケースを持ち運びする必要はない。
プレー中は、プレーヤーは必要に応じて、ケースカバーを開き、バッグ本体のクラブケース収容部よりクラブケースを前方へ取り出して持ち運びする。この場合、クラブケース内に特定のクラブ（例えばアプローチショット用のクラブ）を常時入れておいてもよく、また、その都度、バッグ本体より所望のクラブを抜き出してクラブケースに入れるようにしてもよい。
クラブケース収容部に対するクラブケースの出し入れは、前面の開放部分より行うので、上面の開放部より抜き差しするのと比較して作業が容易であり、クラブケースが傾いてクラブが脱出するなどのおそれがない。
【００１０】
本発明の他の態様のキャディバッグは、バッグ本体と、前記バッグ本体の開放された上面に被せられるキャップ状のカバーとを備える。前記バッグ本体は、複数本のクラブを収容することが可能なクラブ収容部と、前記クラブ収容部に隣接して設けられ複数本のクラブを収容することが可能なクラブケースを収容することが可能なクラブケース収容部とを備える。前記クラブケース収容部は、前面が開放され、前記前面の開放部分は前記バッグ本体に開閉自在に取り付けられたケースカバーにより塞がれている。
【００１１】
上記した構成のキャディバッグの場合、クラブケースを構成として含んでいないので、別途入手したクラブケースをバッグ本体のクラブケース収容部に出し入れして用いる。この場合、クラブケースの形状や大きさにばらつきがあっても、クラブケース収容部の前面の開放部をケースカバーにより塞ぐので、ばらつきに対応できる。クラブケースの使用法は上記と同様であり、ここでは説明を省略する。
【００１２】
好ましい実施形態においては、前記ケースカバーは、一方の側端縁が前記バック本体の外壁に一連に設けられ、他方の側端縁は前記バッグ本体の外壁上に着脱可能に止め固定される。
【００１３】
上記の実施形態によると、ケースカバーの側端縁をバッグ本体の外壁上より外すことによりクラブケース収容部の前面が開放されるので、クラブケース収容部よりクラブケースを前方へ取り出すことができる。また、クラブケースの収納時には、クラブケース収容部にクラブケースを前方より収容した後、収納したクラブケースの前面をケースカバーで覆い、その後、ケースカバーの側端縁をバッグ本体の外壁上に止め固定する。なお、ケースカバーの側端縁をバッグ本体の外壁上に止め固定する手段としては、面ファスナーなど、種々のものを採択することができる。
【００１４】
好ましい実施形態においては、前記クラブケース収容部は、前記前面の開放部分に前記クラブケースを固定するためのベルトを備えている。
【００１５】
上記の実施形態によると、クラブケース収容部にクラブケースを収容した後、ベルトによりクラブケースを固定する。このベルトによってクラブケースはバッグ本体のクラブケース収容部に拘束されるので、運搬中などにクラブケースがケースカバーを押し開いて前方へ飛び出すおそれがない。クラブケースをクラブケース収容部より取り出すときは、ベルトを外して拘束状態を解くと、クラブケースを前方へ容易に取り出すことができる。
【発明の効果】
【００１６】
本発明によれば、バッグ本体に対するクラブケースの出し入れの作業が容易であり、作業時にクラブケースが傾いてクラブが脱出するおそれがない。さらに、形状や大きさに差異がある種々のクラブケースにも柔軟に対応できる。また、クラブケースがスタンド付きのものであっても、出し入れになんら支障をきたすおそれはない。
【図面の簡単な説明】
【００１７】
【図１】本発明の一実施形態に係るキャディバッグの分解斜視図である。
【図２】キャディバッグを前面側より見た斜視図である。
【図３】キャディバッグを背面側より見た斜視図である。
【図４】バッグ本体にクラブケースが収容された状態のバッグ本体の斜視図である。
【図５】バッグ本体にクラブケースが収容された状態のバッグ本体の平面図である。
【図６】クラブケース収容部がケースカバーにより塞がれた状態のバッグ本体の斜視図である。
【図７】クラブケース収容部がケースカバーにより塞がれた状態のバッグ本体の平面図である。
【発明を実施するための形態】
【００１８】
本発明の実施形態を図１〜図７を参照して説明する。
図１〜図４に示すように、キャディバッグ１は、バッグ本体１０と、複数本のクラブを収容することが可能な大きさであって上面が開口したクラブケース３０と、バッグ本体１０の開放された上面に被せられクラブのヘッド部分を覆うキャップ状のカバー４０とを含む。
なお、キャディバッグ１は、クラブケース３０を含んだ形態のものを販売の対象としてもよく、クラブケース３０を含まない形態のものを販売の対象としてもよい。
【００１９】
バッグ本体１０は、複数本のクラブを収容することが可能な大きさのクラブ収容部１１と、クラブ収容部１１に隣接して設けられクラブケース３０を収容することが可能な大きさのクラブケース収容部１２とを備えている。クラブケース収容部１２の前面は開放されており、前面の開放部分１３はバッグ本体１０に開閉自在に取り付けられたケースカバー１４により塞がれるようになっている。キャディバッグ１は、クラブケース収容部１２が設けられている側を前面側、前面側と反対側を背面側、背面側と前面側との間を側面側としている。
【００２０】
バッグ本体１０は、上面が開放されており、開放部の平面視の形状は円形または楕円形を呈している。バッグ本体１０は、前面側が開放された外壁１５を有し、外壁１５の下端は底部１６により塞がれている。外壁１５はプラスチック素材などの合成樹脂製のボディの外面をクッション材や布地（図示せず）で覆ったものである。外壁１５の背面側及び側面側には、ファスナー付きの収納ポケット１７が複数設けられており、外壁１５の背面側には、手持ち用の取手１８と、ショルダーベルト１９とが取り付けられている。側面側の収容ポケット１７の容積を調整することで、所望の収容スペースをバッグ本体１０に確保する。
【００２１】
図５、図７に示すように、バッグ本体１０の上面の開放部は、仕切部材２０により仕切られている。仕切部材２０は、クラブ収容部１１とクラブケース収容部１２とを仕切る第１の仕切部材２０Ａ，２０Ｂと、クラブ収容部１１内を縦横に区画する第２の仕切部材２０Ｃ〜２０Ｇとからなる。第１の仕切部材２０Ａ，２０Ｂは、バッグ本体１０の上端から底部１６まで延び、外壁１５とは第１の端部１５ａ及び第２の端部１５ｂにおいて連続する。第２の仕切部材２０Ｃ〜２０Ｇは、バッグ本体１０の上端部に配置され固定されている。クラブ収容部１１は外壁１５と第１の仕切部材２０Ａ，２０Ｂと底部１６とで囲まれる空間により構成される。クラブケース収容部１２は、第１の仕切部材２０Ａ，２０Ｂとケースカバー１４と底部１６とで囲まれる空間により構成される。
【００２２】
クラブケース収容部１２は、前面の開放部分１３にクラブケース３０を固定するためのベルト２１を備えている。ベルト２１は基端部が外壁１５の第１の端部１５ａの側に取り付けられ、先端部は外壁１５の第２の端部１５ｂの側に着脱可能に止め固定される。外壁１５上には、第２の端部１５ｂに沿って面ファスナー２２Ａが設けられており、この面ファスナー２２Ａにベルト２１の先端部の内側に設けられた面ファスナー２２Ｂが噛み合う。
【００２３】
本実施形態では、ベルト２１は上下に２箇所設けられているが、開放部分１３の上下方向の中央部または上端部の１箇所に設けてもよく、適所に３箇所以上設けてもよい。また、ベルト２１が止め固定される手段は面ファスナー２２Ａ，２２Ｂに限らず、ボタン、ホックなどであってもよく、ベルト２１が外壁１５上に着脱可能に固定されればどのような手段であってもよい。また、ベルト２１を２本の帯状片をもって構成し、第１の帯状片の基端部を外壁１５の第１の端部１５ａの側に取り付け、第２の帯状片の基端部を外壁１５の第２の端部１５ｂの側に取り付け、第１の帯状片の先端部と第２の帯状片の先端部とをバックルを介して連結するようにしてもよい。この場合、バックルはベルト２１の長さを調節することが可能なものとする。
【００２４】
ケースカバー１４は、ベルト２１の外側に位置しており、上下方向に長い帯状を呈し、一方の側端縁１４ａが第１の端部１５ａの側に外壁１５と一連に設けられ、他方の側端縁１４ｂは第２の端部１５ｂの側の外壁１５上に着脱可能に止め固定される。外壁１５上の第２の端部１５ｂに沿って設けられた面ファスナー２２Ａにケースカバー１４の他方の側端縁の内側に設けられた面ファスナー２２Ｃが噛み合う。さらに、底部１６の外面にも面ファスナー２２Ｄが設けられており、この面ファスナー２２Ｄに、底部１６に達するケースカバー１４の下端縁の内側に設けられた面ファスナー２２Ｅが噛み合う。本実施形態においては、ベルト２１の先端部が固定される面ファスナー２２Ａは、ケースカバー１４の側端縁１４ｂが固定される面ファスナー２２Ａが兼ねているが、ケースカバー１４の側端縁１４ｂが固定される面ファスナーをベルト２１の先端部が固定される面ファスナーと別体として設けてもよい。
【００２５】
なお、ケースカバー１４の素材は布地からなるが、素材は限定されず、可撓性を有するプラスチックシートであってもよい。ケースカバー１４は、外壁１５や布地、収納ポケット１７と素材やデザインが統一されていることが好ましい。また、ケースカバー１４が止め固定される手段は面ファスナー２２Ａ，２２Ｃ、２２Ｄ，２２Ｅに限らず、ボタン、ホックなどであってもよく、ケースカバー１４が外壁１５上に着脱可能に固定されればどのような手段であってもよい。
【００２６】
クラブケース３０は、図１に示すように、上端が開口し内部に複数本のクラブが収容可能な有底のケース本体３１と、手持ち用のハンドル３２と、ケース本体３１を自立させるための２本の脚を有するスタンド３３とを備えている。手持ち用のハンドル３２は、ケース本体３１の側面へ突出し上面の開口付近に設けられている。スタンド３３は、２本の脚３３ａと、２本の脚を開閉させるためのバネやストッパを有する既知の開閉機構（図示せず）とを備え、ケース本体３１の下端には開閉機構を動作させるためのスイッチ３３ｂが設けられている。スイッチ３３ｂを地面に押し付けることで、開閉機構が動作して２本の脚３３ａが開き、脚３３ａがケース本体３１を支持してケース本体３１を地面に自立させる。
【００２７】
上記の構成のキャディバッグ１とともにクラブケース３０を運搬するには、クラブケース３０をバッグ本体１０のクラブケース収容部１２に収容する。図１に示すように、バッグ本体１０のケースカバー１４を開けて、クラブケース収容部１２の前面を開放し、次に、図４、図５に示すように、この開放部分１３からクラブケース３０をクラブケース収容部１２内に入れ、ベルト２１でクラブケース３０を固定する。そして、図６、図７に示すように、ケースカバー１４をベルト２１の上から被せてクラブケース収容部１２の開放部分１３を覆う。図６、図７においては、クラブケース３０のハンドル３２がケースカバー１４の上端に引っ掛けられており、クラブケース３０をバッグ本体１０から取り出しやすくしている。次に、カバー４０をバッグ本体１０の上端部に被せる。なお、プレーヤーの好みにより、カバー４０を被せずにキャディバッグ１を使用してもよい。また、キャディバッグ１にクラブケース３０を収容せずに、クラブケース収容部１２に直接クラブを収容してキャディバッグ１を使用してもよい。
【００２８】
上記の実施形態によれば、バッグ本体１０に対するクラブケース３０の出し入れの作業が容易であり、作業時にクラブケース３０が傾いてクラブが脱出するおそれがない。さらに、形状や大きさに差異がある種々のクラブケース３０にも柔軟に対応できる。また、クラブケース３０がスタンド付きのものであっても、出し入れになんら支障をきたすおそれはない。
【００２９】
以上、本発明の一実施形態について説明したが、本発明は上記実施形態に限定されるものではなく、本発明の趣旨を逸脱しない限りにおいて種々の変更が可能である。
【符号の説明】
【００３０】
１  キャディバッグ
１０  バッグ本体
１１  クラブ収容部
１２  クラブケース収容部
１３  開放部分
１４  ケースカバー
１５  外壁
１５ａ  第１の端部
１５ｂ  第２の端部
１６  底部
２０（２０Ａ〜２０Ｇ）  仕切部材
２１  ベルト
３０  クラブケース
４０  カバー
【図１】
2019013369.tif 000003
【図２】
2019013369.tif 000004
【図３】
2019013369.tif 000005
【図４】
2019013369.tif 000006
【図５】
2019013369.tif 000007
【図６】
2019013369.tif 000008
【図７】
2019013369.tif 000009